(57)【要約】【課題】注出部に筒状フィルムからなる逆止弁を取り付けた液体充填容器において、弁体を容器内に突出させずに液体を排出できるようにする。【解決手段】液体充填容器の注出部を注出口に溶着し、筒状フィルムの上端縁に係止部材を取り付け、この係止部材を注出口に着脱可能に係止させたこと。【選択図】図１
2005001752.tif 000002
【特許請求の範囲】
【請求項１】
注出部に筒状フィルムからなる逆止弁を取り付けた液体充填容器において、液体充填容器の注出部を注出口に溶着し、筒状フィルムの上端縁に係止部材を取り付け、この係止部材を注出口に着脱可能に係止させた液体充填用の容器。
【請求項２】
注出部に筒状フィルムからなる逆止弁を取り付けた液体充填容器において、液体注出口に筒状フィルムの上端縁を固着し、液体充填容器の注出部を注出口又は筒状フィルムと溶着し、筒状フィルムの内側に引出し部材を配置すると共にその下端側を筒状フィルムと連結し、引出し部材の上端部を注出口に係止させた液体充填用の容器。
【請求項３】
引出し部材を細幅の紐状片で構成した請求項２に記載の液体充填容器。
【請求項４】
引出し部材を筒状フィルムで構成した請求項２に記載の液体充填容器。
【請求項５】
引出し部材の上端部の全部又は一部を剥離可能にして注出口に溶着させた請求項２、３又は４に記載の液体充填容器。
【請求項６】
引出し部材の上端部に係止部材を取り付け、この部材を注出口の開口縁又は内周壁に係止させた請求項２、３又は４に記載の液体充填容器。
【発明の詳細な説明】
【０００１】
【技術分野】
本発明は、注出部に筒状フィルムからなる逆止弁を取り付けた液体充填容器に関するもので、バッグインボックスタイプの容器、無菌充填用容器、あるいはドラム缶収納用の容器等として使用される。
【０００２】
【従来技術とその問題点】
この種の逆止弁付き容器としては、  ａ）実公昭３３−２７９３号公報やｂ）実公昭５３−４４５７９号公報に開示のものが知られている。
前者ａの容器は、ポリエチレン製容器の開口部に、筒状の脚部を備えた漏斗状の弁体を溶着した構成のものであり、液体を充填する際には漏斗部分から注ぎ入れ、液体を吸い出す際には、指で容器を僅かに押して脚部を反転させて逆出させ、逆出し終わらないうちに脚部をカットして口中に当てて吸い出すように構成したものである。
しかしながら、この容器では、わずかの押圧力で弁体が反転して弁機能が失われ、容器内の液体が排出されてしまうため、その取扱は困難であり、密閉容器として使用することができない不都合がある。
【０００３】
また、後者ｂの容器は、柔軟な皮膜からなる容器の開口部に、少なくとも２枚の矩形状重合体を二組重合して形成した筒状の弁体を熱融着させる構成を採用している。
この構成の逆止弁では、容器に圧力を加えても弁体が反転して容器から飛び出すおそれはないものの、弁体の下端部が容器内に突出しているため、容器に残留している液体は容器を逆さまにしても排出できない不都合がある。
【０００４】
【技術的課題】
本発明は、注出部に筒状フィルムからなる逆止弁を取り付けた液体充填容器において、弁体を容器内に突出させずに液体を排出できるようにすることを課題としたものである。
【０００５】
【技術的手段】
この技術的課題を解決するための第一の技術的手段は、（イ）液体充填容器の注出部を注出口に溶着し、（ロ）筒状フィルムの上端縁に係止部材を取り付け、（ハ）この係止部材を注出口に着脱可能に係止させたこと、である。
【０００６】
液体充填容器の注出部には注出口が溶着されていて、容器と注出口とが一体となっている。
逆止弁である筒状フィルムの上端縁には係止部材が取り付けられていて、この係止部材が注出口に係止させられているから、筒状フィルムは注出口とは独立した状態でその下部を容器内に臨ませている。筒状フィルムの下部は、容器内では充填された液体と接触することによって側壁面を偏平化して密着し、弁作用を果たすことになる。
係止部材はその着脱を可能にして注出口に係止させられているから、必要に応じてこれを外すことができ、そのまま筒状フィルムを注出口から引き出して容器内に突出しないようにすることができる。
【０００７】
前記の技術的課題を解決するための第二の技術的手段は、（ニ）液体注出口に筒状フィルムの上端縁を固着し、（ホ）液体充填容器の注出部を注出口又は筒状フィルムと溶着し、（ヘ）筒状フィルムの内側に引出し部材を配置すると共にその下端部を筒状フィルムと連結し、（ト）引出し部材の上端部を注出口に係止させたこと、である。
第三の技術的手段は、引出し部材を細幅の紐状片としたことであり、第四の技術的手段は、引出し部材を筒状フィルムとしたことである。
また、第五の技術的手段は、引出し部材の上端部の全部又は一部を剥離可能にして注出口に溶着させたことであり、第六の技術的手段は、引出し部材の上端部に係止部材を取り付け、この部材を注出口の開口縁又は内周壁に係止させたことである。
【０００８】
逆止弁である筒状フィルムの上端縁は注出口に固着され、液体充填容器の注出部がこの注出口又は筒状フィルムに溶着させられているから、弁体の下部は容器内に臨むことになる。
液体が筒状フィルムを通過して容器内に注ぎ入れられると、筒状フィルムの下部は前記したように側壁面を偏平化して密着し、弁作用を果たすことになる。
筒状フィルムの内側には、引出し部材が配置されていて、その下端部は筒状フィルムと連結されているから、この引出し部材を引っ張ることによって筒状フィルムを下端部側から徐々に反転させることができ、筒状フィルムが容器内に突出しない状態を形成することができる。
【０００９】
この引出し部材としては、細幅の紐状片や筒状フィルムを使用することができる。
これらの部材の下端側と筒状フィルムとの連結は、全部又は一部を接着又は溶着させて行うことが望ましい。またその位置は、双方の下端部同志を連結させても良いし、一方の下端部を他方の下端部よりやや上方の位置に連結させるようにしても良い。
引出し部材を筒状フィルムで構成した場合には、筒状フィルム同志を溶着して連結する他、長い筒状フィルムを中間で折り返し、一端をフィルムの内側へ臨ませて二重筒とし、内側の筒状フィルムを引出し部材として利用する構成を採用することができる。
【００１０】
引出し部材の上端部を注出口に係止させるに際し、上端部の全部又は一部を剥離を可能にして注出口に溶着させる構成を採用すると、筒状フィルムを容器から脱出させる必要が生じた場合には、注出口に溶着した引出し部材を引っ張るなどして注出口から剥離させ、そのまま引っ張って筒状フィルムを容器から脱出させることができる。
また、引出し部材の上端部にリングや突片等からなる係止部材を取り付け、係止部材を注出口の開口部や内壁に係止させる構成を採用すると、係止部材を引き出すことによって筒状フィルムを容易に容器から脱出させることができる。この係止部材を場合、キャップを取り付ける際のシール材として活用することが望ましい。
【００１１】
上記のいずれの技術的手段においても、液体充填容器としては、硬質容器の他、袋容器を使用することができる。弁体としての筒状フィルムを容器に溶着させる場合には、後者の容器を使用することが望ましい。
容器は、ポリエチレン、ナイロン、ポリプロピレン等の合成樹脂製のものを好適に使用することができる。容器と逆止弁とを溶着させる場合には、筒状フィルムも同様の素材で形成しておくことが望ましい。なお、袋状の容器や筒状フィルムは、ラミネートシートを使用して形成することもできる。
注出口、容器、筒状フィルム、係止部材などの素材は、溶着等の相性や充填する液体の種類などを勘案して選択することになる。
【００１２】
【本発明の効果】
弁体を容器内に突出させずに液体を排出できる結果、容器内に液体が残留しても、容器を逆さまにして残留液を容易に排出できる利点がある。
なお、本発明では、注出口に筒状フィルムを固着させているから、容器内の開口部を確実に封止して液体の漏洩を防止することができる。
【００１３】
【実施の形態】
図１は、注出口２の下部に突出させた座面３に袋１を溶着させた容器の要部を断面で示した正面図である。
筒状フィルムで形成した弁体５の上端には短尺の筒体６が取り付けてあり、この筒体６の外側とを注出口２の開口縁の内側に形成した螺旋溝を利用して螺着するようになっている。
この弁体５は、一重の筒状フィルムで構成されているから、筒体６を回動させて螺旋溝から脱出させると、注出口２から弁体５を取り出すことができる。
なお、この実施形態では、注出口２、袋１、弁体５及び筒体６は、いずれもポリエチレン樹脂で形成した。
【００１４】
この実施形態では、筒体６の頂部には注出口の先端部に当接する鍔７が突設してあって、キャップ４を注出口の外側に螺着する際にこの鍔７がシール材として機能するようにしている。
なお、筒体６を注出口２の開口縁へ係止させる形態は、螺着による他、上端部を外側に屈曲させ、この屈曲部を注出口２の開口縁に嵌着させたり、開口縁や注出口の内壁に段部を形成して筒体６を係止させたり、あるいは凹部を形成して筒体の凸部と係合させるようにしても良い。
【００１５】
図２は、バッグインボックスタイプの袋容器について本発明を実施する場合を示したものである。
ポリエチレン樹脂製の長い筒状フィルムを略中間部１６で折り返してフィルムの内側へ臨ませるように反転して内外二重の筒状フィルム１５ａ、１５ｂからなる弁体１５とし、内側の筒状フィルムを引出し部材１５ｂとして利用する場合の実施形態を示したものである。
フィルム１５ａの端部は注出口２の下部内側に溶着させてあり、略中間点１６で折り返した他端側はリング１７に溶着させている。リング１７は注出口の開口端面上に位置させてあって、キャップ４を取り付ける際にシール材として機能している。
【００１６】
この実施形態では、ポリエチレン樹脂製の袋容器１１を使用していて、その注出部１２を筒状フィルム１５ａに直接溶着させている。
キャップ４を外してリング１７を引き上げると、筒状フィルム１５ｂが徐々に注出口２から脱出していき、反転部１６が徐々に上へ移動しやがて袋１１から脱出し、反転部１６が袋の注出部１２に達することになる。
なお、図１に示した実施形態のように、袋１１を注出口２に溶着させた場合にも、弁体１５は同様に袋１１から脱出させることができる。
【００１７】
図３は、筒状フィルム１５ｂの端部を注出口２に係止させる他の実施形態を示したもので、筒状フィルム１５ｂの端部を先端部に鍔条突起１４を設けたリング１３に溶着させ、鍔１４を注出口２の開口縁端面上に係止させる構成を採用している。
また図４は、外径を注出口２の内径よりわずかに小さく形成したリング１９に筒状フィルム１５ｂの端部を溶着させ、このリング１９を注出口２の内壁面に突出させた凸条９に係止させる構成を採用したものである。
いずれの形態においても、キャップ４の内側に突出させたリング状突起８ａ、８ｂがリング１３、１９を押圧してこれらのリングがシール効果を発揮するように構成している。
【００１８】
図２〜４に示した実施形態では、筒状フィルムを折り返して二重にした弁体を示しているが、別体に形成した筒状のフィルムを下端部で溶着させて弁体を構成することもできる。この場合には、外側のフィルム１５ａ下端部を内側のフィルム１５ｂの下端部よりやや上方の位置に連結させるようにしても良いし（図５ａ参照）、内側のフィルム１５ｂ下端部を外側のフィルム１５ａの下端部よりやや上方の位置に連結させるようにしても良い（図５ａ参照）
【図面の簡単な説明】
【図１】注出口に袋を溶着させた容器の要部正面断面図
【図２】弁体に袋を溶着させた容器の要部正面断面図
【図３】他の実施形態における容器の要部正面断面図
【図４】弁体を注出口の内側に係止させた容器の要部正面断面図
【図５】二重の筒状フィルムからなる弁体の連結状態を示す説明図
【符号の説明】
１、１１袋容器、  ２注出口、  ３注出口の座面、  ４キャップ、  ５、１５筒状フィルムからなる弁体、  ６筒体、  １３、１７、１９筒状フィルムの他端を溶着したリング、  ７、１４リングに突設した鍔、  ８キャップのリング状突起、  ９中宿口内壁に突設した凸部、  １２、袋の注出部（袋容器との溶着部）、１６筒状フィルムの反転部
【図１】
2005001752.tif 000003
【図２】
2005001752.tif 000004
【図３】
2005001752.tif 000005
【図４】
2005001752.tif 000006
【図５】
2005001752.tif 000007